【事件の表示】
　特願２００５−２７０４４１「写真シール作成装置および方法、並びにプログラム」拒絶査定不服審判事件〔平成１９年　３月２９日出願公開、特開２００７−　７９４５１〕について、次のとおり審決する。
【結　論】
　本件審判の請求は、成り立たない。
【理　由】
第１　手続の経緯
　本件出願（以下「本願」という。）は、平成１７年９月１６日の出願であって、平成２０年２月２１日付けで拒絶の理由が通知され、同年４月２３日付けで手続補正がなされ、同年５月１５日付けで拒絶の理由（最後）が通知され、同年７月１８日付けで手続補正がなされたが、同年８月７日付けで同年７月１８日付けの手続補正が却下されるとともに、同日付けで拒絶査定がなされ、これに対し、同年９月１６日に本件審判が請求されるとともに、同年１０月１４日付けで特許請求の範囲及び明細書についての手続補正がなされたものである。
　その後、当審において、平成２２年１月２０日付けで平成２０年１０月１４日付けの手続補正を却下するとともに、同日付で拒絶の理由を通知したところ、平成２２年３月２３日付けで手続補正がなされたものである。
　
第２　本願発明について
１　本願発明
　本願の請求項１ないし７に係る発明は、平成２２年３月２３日付け手続補正後の特許請求の範囲の記載からみて、その特許請求の範囲の請求項１ないし７に記載された事項により特定されるものであるところ、その請求項１に係る発明（以下「本願発明」という。）は、以下のとおりである。
「メカニカルシャッタ機構および撮像素子を有し、前記撮像素子により被写体である利用者を撮影し、撮影時以外は前記メカニカルシャッタ機構により前記撮像素子を外部の光から遮断する第１の撮影手段と、
　前記第１の撮影手段の上側近傍または下側近傍に設けられ、前記被写体を撮影する第２の撮影手段と、
　前記第１の撮影手段による撮影の前において、前記第２の撮影手段により撮影された動画像を表示し、前記第１の撮影手段による撮影タイミングの後において、前記第１の撮影手段による次の撮影と並行して、前記第２の撮影手段により撮影された静止画像を表示する第１の表示手段と、
　前記第１の撮影手段により撮影された前記被写体の複数の画像を表示する第２の表示手段と、
　前記第２の表示手段に表示された画像をシール紙に印刷する印刷手段と
　を備える写真シール作成装置。」
　
２　刊行物
（１）本願出願前に頒布された刊行物であって、当審で通知した拒絶の理由に引用された特開２００３−１０１８４７号公報（以下「引用文献１」という。）には、以下の記載が図示とともにある。
　ア　「【請求項１】  撮影領域内に存在する使用者を含む被写体を撮影して撮影画像を生成する第１撮影手段と、上記撮影画像をプリント出力するプリント手段とを備えた写真撮影装置であって、所定時間内に複数の撮影画像を生成する連写機能を有することを特徴とする写真撮影装置。」
　イ　「【０００１】
【発明の属する技術分野】本発明は、主としてゲームセンター等に設置され、硬貨等が投入されることにより使用者を撮影し、撮影画像をプリントして出力する写真撮影装置および方法ならびに印刷媒体に関するものである。
【０００２】
【従来の技術】近年、ゲームセンター等において、写真を撮影してシールプリント等にする写真自販機が数多く設置されている。このような写真自販機としては、一般に、図１４に示すようなものが用いられている。このものは、内部および前面に各種の装置が設けられた筐体１と、上記筐体１の上下から被写体２の背後まで達するように突き出された支柱３とを備えている。」
　ウ　「【００２７】上記筐体１の内部には、被写体２を撮影する２台のカメラ６ａ，６ｂが設けられ、各カメラ６ａ，６ｂの前側には、透明板１０が嵌め込まれている。この例において、上記第１および第２カメラ６ａ，６ｂは、被写体２の前面で被写体２に対して左右に並ぶよう配設されている。
【００２８】上記第１カメラ６ａは、所定の短時間内に複数回の撮影を行い、複数の撮影画像を生成する連写機能を有した撮影装置である。そして、上記第１カメラ６ａは、連写で得られた静止画である被写体２の連続的な撮影画像の画像データを複数格納するメモリ装置１１（図３参照）を備えている。そして、上記メモリ装置１１に一旦格納された複数の画像データは、連写撮影終了後に一括してコンピュータ装置７に転送されるようになっている。」
　エ　「【００３０】このようにすることにより、撮影毎に撮影画像の電子データを転送するのに比べ、撮影間隔を短縮でき、連続的な撮影画像を得やすくなる。上記第１カメラ６ａとしては、例えば、エクステンションユニットが取り付けられたデジタルカメラが用いられ、具体的には、フジフィルム社製ＤＳ−３３０等をあげることができる。」
　オ　「【００３１】上記第２カメラ６ｂは、被写体を撮影してその動画を生成するものであり、具体的にはデジタルビデオカメラやビデオカメラ等が用いられる。
【００３２】また、上記筐体１の内部には、上記各カメラ６ａ，６ｂから画像データを受信して画像合成等の処理を行なうコンピュータ装置７が設けられている。さらに、上記筐体１の内部には、上記コンピュータ装置７から送信された画像データを受信し、この画像を印刷媒体１５に印刷するプリンタ９が設けられている。このプリンタ９で印刷された印刷媒体１５は、筐体１の前面に形成された送出口１９から送出されるようになっている。
【００３３】また、上記筐体１の前部には、上記コンピュータ装置７から送信された撮影画像や合成画像等の画像信号を受信して画像を表示する第１および第２ディスプレイ８ａ，８ｂが設けられている。
【００３４】上記第１ディスプレイ８ａには液晶タブレット等が用いられ、画面が斜め上に被写体２を向くように設けられている。この第１ディスプレイ８ａには、第１カメラ６ａで連写撮影された複数の静止画である撮影画像を表示して、撮影画像の表情やポーズあるいはフレーミング等をプレビュー確認しうるようになっている。
【００３５】また、上記第１ディスプレイ８ａは、タッチペン１２を備え、操作パネルを兼ねている。すなわち、上記第１ディスプレイ８ａには操作指示とともに各種の操作ボタン等が表示され、上記操作指示に従って、ディスプレイ８ａに表示された操作ボタンをタッチペン１２の先端でタップ（軽く触れる）等することにより、各種の操作信号がコンピュータ装置７に送られ、シャッタ操作等、後述する各種の操作が行なわれるようになっている。
【００３６】また、上記タッチペン１２は、その先端を第１ディスプレイ８ａの表面に接触させて文字や図形等を描いて入力しうるようになっており、手書き入力された文字・図形等の画像データやスタンプ画像等が、カメラ６ａで撮影された被写体２の撮影画像と合成されて第１ディスプレイ８ａに表示され、その合成画像がプリント媒体１５に印刷されるようになっている。」
　カ　「【００３８】上記第２ディスプレイ８ｂには、ＣＲＴ装置等が用いられ、第２カメラ６ｂで撮像されている動画としての撮像映像をリアルタイムに表示して、撮影の際の表情やポーズあるいはフレーミング等を確認しうるようになっている。このようにすることにより、リアルタイム表示される動画を見ながら、動きを含めたポーズの確認を行なうことができ、連写撮影の際、例えば、ピッチングフォームやダンス等の一連の動作を行ないながらのポーズ決定等に便利である。また、上記第２ディスプレイ８ｂには、第１カメラ６ａで撮影された静止画としての撮影画像も表示され、使用者２にプレビュー確認させるようになっている。」
　キ　「【００５１】上記写真撮影装置の動作の一例について、図４のフローチャートを参照しながら説明する。ここで、図４において、「Ｓ」はステップを意味する。
【００５２】まず、第１および第２ディスプレイ８ａ，８ｂにデモ画面が表示されているなか、使用者２がコイン投入口１８に必要なコインを投入すると（Ｓ１２０）、第２カメラ６ｂによる被写体２の撮像と撮像された動画の第２ディスプレイ８ｂへのリアルタイム表示が開始される（Ｓ１４０）。
【００５３】つぎに、使用者２が第２ディスプレイ８ｂの表示画像を見ながら被写体２の位置やポーズを決めた後に、タッチペン１２を用いて画面の指示に従ってシャッタ操作の操作信号を入力すると（Ｓ１６０）、所定の瞬間の撮像映像が静止画として第１カメラ６ａのメモリ装置１１に格納される。
【００５４】ついで、カウンタ２５で所定の連写回数に達しているか否かが確認され、規定の撮影回数に達していなければステップ１６０に戻り、カウントが所定の連写回数に達するまで連写が繰り返される（Ｓ２２０）。
【００５５】一方、所定の撮影回数に達していればステップ２３０に進み、連写されたメモリ装置１１に格納された複数の画像データを一括してコンピュータ装置７に転送し、固定画像記憶部３８に記憶させる（Ｓ２３０）。
【００５６】つぎに、固定された静止画像を第１ディスプレイ８ａの表示部３６に表示して、タッチペン１２を操作することによる手書き画像等の入力が開始される（Ｓ２４０）。ここで、手書き画像の入力画面の一例を図５に示す。この手書き画像入力画面において、２１ａ，２１ｂ，２１ｃは、それぞれ手書きペン，スタンプ画像，アルファベット等の文字を入力する際にタッチペン１２でタップするアイコンである。
【００５７】手書き画像を入力する際には、手書きペンのアイコン２１ａをタッチペン１２の先端でタップしてから、タッチペン１２の先端を、ディスプレイ８ａに表示された画像２２の上に接触させて絵や文字を描くことにより、手書き画像の入力が行なわれる。
【００５８】スタンプ画像を入力する際には、スタンプ画像のアイコン２１ｂをタッチペン１２の先端でタップしてから、タッチペン１２の先端を、ディスプレイ８ａに表示された画像２２の上に接触させることにより、スタンプ画像の入力が行なわれる。
【００５９】アルファベット等の文字を入力する際には、アルファベット文字のアイコン２１ｃをタッチペン１２の先端でタップしてから、タッチペン１２の先端を、ディスプレイ８ａに表示された画像２２の上に接触させることにより、アルファベット文字の入力が行なわれる。
【００６０】このようにして、図６に示すように、手書き画像２７やスタンプ画像２８等が入力され、表示された画像２２の上にさらに合成される。
【００６１】そして、上記手書き画像等の入力は、タイマ２６の計測時間があらかじめ設定された所定の入力可能時間（例えば９０秒等）に達するまで続けられる（Ｓ２６０）。ステップ２６０において規定の入力可能時間に達すると、手書き画像等の入力が停止され、印刷の際のシートレイアウトの選択が行なわれる（Ｓ２８０）。ここでのシートレイアウトの選択は、ディスプレイ８ａの表示部３６にシートレイアウトの見本画面が表示され、タッチペン１２の操作により所望のシートレイアウトを選択することが行なわれる。
【００６２】ついで、シートレイアウトの選択が終了すると、合成画像の画像データがプリンタ９に送られ、ステップ２８０で選択されたシートレイアウトにより印刷が開始される（Ｓ３００）。印刷が終了すると、印刷された印刷媒体１５（写真プリント）が出力される。
【００６３】ここで、シートレイアウトの一例を図７に示す。この例では、写真プリントとしてシールプリントに出力した例を示しており、４１はシール台紙、４２はシールである。」
　ク　上記エより、第１カメラ６ａはデジタルカメラであるから、撮像素子を有していることは明らかである。
　
（２）上記（１）アないしクから、引用文献１には次の発明（以下「引用発明１」という。）が記載されていると認める。
　
「撮像素子を有し、使用者を含む被写体を撮影し、複数の撮影画像を生成する連写機能を有したデジタルカメラである第１カメラ６ａと、被写体を撮影してその動画を生成する第２カメラ６ｂと、第２カメラ６ｂで撮像されている動画としての撮像映像をリアルタイムに表示して、撮影の際の表情やポーズあるいはフレーミング等を確認しうるようになっている第２ディスプレイ８ｂと、第１カメラ６ａで連写撮影された複数の静止画である撮影画像を表示して、撮影画像の表情やポーズあるいはフレーミング等をプレビュー確認しうるようになっている第１ディスプレイ８ａと、その先端を第１ディスプレイ８ａの表面に接触させて文字や図形等を描いて入力しうるタッチペン１２により手書き入力された文字・図形等の画像データやスタンプ画像等が、カメラ６ａで撮影された被写体２の撮影画像と合成されて第１ディスプレイ８ａに表示され、その合成画像がプリント媒体１５に印刷されるプリンタ９とを有し、
　第１および第２カメラ６ａ，６ｂは、筐体１の内部に設けられて、その前側には透明板が嵌め込まれ、被写体２の前面で被写体２に対して左右に並ぶよう配設され、第２ディスプレイ８ｂには、第１カメラ６ａで撮影された静止画としての撮影画像も表示され、使用者２にプレビュー確認させるようになっている、写真プリントとしてシールプリントに出力する写真撮影装置」
　
（３）本願の出願前に頒布された刊行物であって、当審で通知した拒絶の理由に引用された特開平１０−１６１２３３号公報（以下「引用文献２」という。）には、以下の記載が図示とともにある。
　ア　「【０００１】
【発明の属する技術分野】本発明は人物写真撮影装置に関する発明である。」
　イ　「【０００６】本発明の目的は、撮影内容を思いだす必要なく、撮影されるその場で、既に撮影された画像を見てポーズを決めることができるようにすることである。」
　ウ　「【００２６】本実施形態の人物写真撮影装置は、椅子９５に座っている人物１を撮影し、その人物像のプリントを得るための装置である。電子カメラ７６は、透明板９１及びハーフミラー８０を透過した椅子９５に座っている人物１の像を撮影し、デジタル画像を得る。画像処理回路７０は、電子カメラ７６により得られたデジタル画像を画像処理して、ＶＲＡＭ７３に記録されている動画表示領域を常に書換えまた、所定の手順で静止画表示領域に静止画を記憶させる。そして、ＣＲＴ７４は、ＶＲＡＭ７３に記憶されている画像を画像表示面７５に表示する。すると、画像表示面７５に表示された画像がハーフミラー８０で反射して、透明板９１を介して人物１が見ることができる。また、所定の手順で静止画表示領域に記憶されている静止画が了承されると、露光部４０は、これらの静止画の像を印画紙（プリント用ハロゲン化銀カラー写真感光材料であるカラーネガポジ印画紙）２に露光し、現像処理部２８が露光された印画紙２を現像処理して、静止画表示領域に記憶されている静止画に対応するプリントが得られる。
【００２７】電子カメラ７６は、椅子９５に座っている人物１を、約４０万画素の固体撮影素子により１秒間に６〜３０フレーム撮影する。そして、電子カメラ７６は、この撮影により得られる１秒間に６〜３０フレームの約４０万画素のデジタル画像信号を画像処理回路７０に送信する。
【００２８】画像処理回路７０には、ＣＰＵ７１と、ＣＰＵ７１に接続されているメモリ７２と、ＣＰＵ７１に接続されているＶＲＡＭ７３とがある。そして、電子カメラ７６から送信された１秒間に６〜３０フレームの約４０万画素のデジタル画像信号を画像処理して、ＶＲＡＭ７３の動画表示領域を書き換える。また、後述する所定の手順に従って、静止画をＶＲＡＭ７３の静止画表示領域に記憶する。また、同時に画像出力するための静止画の像をメモリ７２に記憶させる。これにより、１秒間に６〜３０回、ＶＲＡＭ７３の動画表示領域を書き換えることになり、人物１は、現在の自分のポーズや表情の変化などをストレスなく視認して観察でき、かつ、記憶されている静止画を視認して観察することができ、撮影内容を思いだす必要なく、撮影されるその場で、電子カメラ７６により撮影される人物１が既に撮影されたポーズを見て、ポーズを決めることができる。
【００２９】また、ＣＲＴ７４は、１つの画像表示面７５のみを有し、この画像表示面７５に、ＶＲＡＭ７３に記憶されている画像を表示させることにより、ＶＲＡＭ７３の静止画表示領域に記憶されている静止画もＶＲＡＭ７３の動画表示領域に記憶されている動画も表示することにより、本人物撮影装置では、画像表示面を１つに済ましている。」
　エ　「【００３９】本人物写真撮影装置の画像表示面７５が表示する画像は、ＶＲＡＭ７３に記憶されている画像を表示したものである。そして、ＣＲＴ７４はこの画像表示面７５に、ＶＲＡＭ７３の動画表示領域に記憶されいている動画７とＶＲＡＭ７３の静止画表示領域に記憶されている静止画１１、１２、１３、１４とＶＲＡＭ７３の説明文表示領域に記憶されている説明文８とを図３に示すように表示する。また、ＶＲＡＭ７３の静止画表示領域に記憶されている静止画１１、１２、１３、１４に相当するメモリ７２に記憶されている静止画からプリント（ハードコピー）が得られる。
【００４０】そして、静止画１１、１２、１３、１４とそれに対応するメモリ７２に記憶されている静止画は、所定の時点の動画７からＣＰＵ７１がトリミング処理して得られたものである。メモリ７２に記憶されている静止画は、単に動画から所定の上下位置の範囲内をトリミングして、トリミングされた画像に、プリント形成用の階調処理を施したものである。これに対して、ＶＲＡＭ７３の静止画表示領域に記憶されている静止画１１、１２、１３、１４は、メモリ７２に記憶されている静止画と同じトリミング処理をして、１／２に間引いて画素数縮小処理をしたものである。これにより、ハードコピーがトリミング処理されたものであっても、人物１が、撮影されるその場で、ハードコピーに出力されるトリミング処理された静止画を見て、ポーズを決めることができ、その結果のハードコピーを得ることができる。
【００４１】また、静止画を撮るタイミングは、以下の通りである。人物１が料金徴収部９２に貨幣を投入すると、画像表示面７５にモードの選択を指示する画面が表示される。そして、選択されたモードに必要な金額が投入されていなければ、さらに貨幣の投入を促す画面が画像表示面７５に表示される。また、充分な金額が投入されていたら、電子カメラ７６の動画の撮影が開始され、図３に示すような画面（但し、静止画は表示されていない。）が画像表示面７５に表示される。そして、画像表示面７５に表示される説明文８に、撮影手順の説明が示される。そして、料金徴収部９２の図示しない開始ボタンを押すと、所定の時間間隔毎に静止画が撮影される。
【００４２】例えば、静止画を連続して複数回撮影し、この複数回の撮影で得られた複数の静止画をプリントする複数シーンプリントモードでは、最初の撮影は８秒後、その後４秒間隔に３枚の撮影が行われる。そして、その間、既に撮影された１又は複数の静止画を上方から撮影された順に表示して、同時に表示する。例えば、開始ボタンを押して、１８秒後の状態の例を図３に示す。このようにして、既に撮影された複数の静止画を見て、ポーズを決めることができる。」
　
（４）本願の出願前に頒布された刊行物であって、当審で通知した拒絶の理由に引用された特開２００５−１０７０４１号公報（以下「引用文献３」という。）には、以下の記載が図示とともにある。
  ア　「【０００９】
  このような現状を踏まえ、上述の特許文献１のものに、単に低価格の高解像用ディジタルカメラを適用すると、高解像度用ディジタルカメラでは、ＣＣＤの画素数が多いので必然的にデータ量が低解像度用ディジタルカメラに比べて遥かに大きいことから、Ａ／Ｄ変換処理やキャプチャー処理といったディジタル処理に時間がかかると共に、画像処理装置にデータを転送するのにも時間がかかってしまう。」
　イ　「【００２８】
  本発明によれば、高画質の写真印刷及び確認画像の高速表示の両方を低コストにて実現することができる。具体的には、１台のカメラで撮影した画像を印刷用と表示用に用いる従来の構成に比べ、はるかに低コストにて高画質の写真印刷及び確認画像の高速表示の両方を実現することができる。
  そして、高速表示により、使用者が撮影画像を確認する際の待ち時間をほとんど無くすことができる。特に、撮り直しをする場合においては、従来のように撮り直しの都度待たされることがないので、使用者は快適に撮り直し作業及び画像確認を行うことができる。」
　ウ　「【００４２】
  図２は、図１に示した自動写真撮影装置１００の撮影機構室外部筐体１の内部構成を示す図である。
【００４３】
  図２において、撮影機構室外部筐体１の内部には、大きく分けると、制御装置１０と、印刷用カメラ（Ａ）１１ａと、表示用カメラ（Ｂ）１１ｂと、表示部１２と、操作部１３と、印刷装置１４と、現金処理部１５と、電源部１６とを具えて構成される。
【００４４】
  制御装置１０は、この自動写真撮影装置１００全体を統括的に制御する装置である。具体的には、印刷用カメラ（Ａ）１１ａや、表示用カメラ（Ｂ）１１ｂや、表示部１２や、操作部１３や、印刷装置１４や、現金処理部１５等と電気的に接続し、それらの各種処理動作を制御する。特に、本実施例では、印刷用カメラ（Ａ）１１ａ及び表示用カメラ（Ｂ）１１ｂの２台のカメラにおける撮影に係わる一連の処理を制御する。
【００４５】
  印刷用カメラ（Ａ）１１ａは、撮影範囲内の使用者を含む画像を高解像度で撮影する撮影装置である。そして、このカメラ（Ａ）１１ａで撮影された高解像度画像を印刷装置１４で印刷する場合に用いる。尚、写真印刷用として高画質を望むので高解像度で撮影できるように受光素子を数多く具えたＣＣＤ（Charge Coupled Device：電荷結合素子）を搭載したディジタルカメラやビデオカメラを採用する。
【００４６】
  表示用カメラ（Ｂ）１１ｂは、撮影範囲内の使用者を含む画像を低解像度で撮影する撮影装置である。そして、このカメラ（Ｂ）１１ｂで撮影された低解像度画像を撮影画像確認用表示部１２で表示する場合に用いる。尚、確認さえできれば良いので画質は問わず低解像度で撮影できる受光素子が少ないＣＣＤを搭載したディジタルカメラやビデオカメラを採用する。
【００４７】
  撮影画像確認用表示部１２は、使用者が印刷してもよい撮影画像かどうかを判断する場合に用いられる撮影画像を表示する。特に、この実施例では、表示用カメラ（Ｂ）１１ｂにて撮影した撮影画像を表示する。そして、その表示される撮影画像は、印刷用カメラ（Ａ）１１ａにて撮影して印刷用に利用すべく形成される撮影画像が撮影された時間と一致した時間或いは略一致した時間にて表示用カメラ（Ｂ）１１ｂで撮影した画像である。尚、この表示部を実現する手段としては、低コスト化を考慮して安価なビデオモニター或いはＴＶを採用する。」
　エ　「【０１２９】
  まず、図１８において、図１８（ａ）は、図２に示す構成において、ハーフミラー１８越しに撮影空間部屋２の撮影エリア（使用者が椅子の高さを調整すればその使用者の顔及び肩部分を撮影できるエリア）を撮影できる高さ位置に表示用カメラ（Ｂ）１１ｂを上にし、そのもとに印刷用カメラ（Ａ）１１ａを設置し、それら印刷用カメラ（Ａ）１１ａと表示用カメラ（Ｂ）１１ｂの間に、使用者の視線をガイドする為の光を発する視線ガイド用発光素子（青色ＬＥＤなど）２２を設ける。」
　オ　図１８より、表示用カメラが印刷用カメラの上側近傍に設けられていることが看取できる。
　
４　対比
　本願発明と引用発明１とを対比する。
（１）引用発明１の「撮像素子」は、デジタルカメラにおいて撮影するためのものであるから、「使用者を含む被写体を撮影」していることは、明らかである。
（２）引用発明１の「使用者」は、本願発明の「利用者」に相当する。
（３）引用発明１の「使用者を含む被写体を撮影」は、すくなくとも「使用者」を撮影していることから、本願発明の「被写体である利用者を撮影」に相当する。　
（４）上記（１）ないし（３）より、引用発明１の「撮像素子を有し、使用者を含む被写体を撮影し、複数の撮影画像を生成する連写機能を有したデジタルカメラである第１カメラ６ａ」は、本願発明の「第１の撮影手段」と、「『撮像素子を有し、前記撮像素子により被写体である利用者を撮影』する『第１の撮影手段』」という点で一致する。
（５）引用発明１の「第２カメラ６ｂ」、「第２カメラ６ｂで撮像されている動画としての撮像映像」、「第１カメラ６ａで連写撮影された複数の静止画である撮影画像を表示して、撮影画像の表情やポーズあるいはフレーミング等をプレビュー確認しうるようになっている第１ディスプレイ８ａ」及び「写真プリントとしてシールプリントに出力する写真撮影装置」は、本願発明の「第２の撮影手段」、「第２の撮影手段により撮影された動画像」、「第１の撮影手段により撮影された前記被写体の複数の画像を表示する第２の表示手段」及び「写真シール作成装置」に相当する。
（６）引用発明１の「第２ディスプレイ８ｂ」は、「第２カメラ６ｂで撮像されている動画としての撮像映像を表示し」ている。
　引用発明１の「第２カメラ６ｂで撮像されている動画としての撮像映像」は、「リアルタイムに表示」され、「撮影の際の表情やポーズあるいはフレーミング等を確認しうるようになっている」ことから、「第１カメラ６ａ」による撮影の前において表示していると認められる。
　してみれば、引用発明１の「第２ディスプレイ８ｂ」は、本願発明の「第１の表示手段」と、「『第１の撮影手段による撮影の前において』、『第２の撮影手段により撮影された動画像』を『表示する』」点で一致する。
（７）引用発明１の「プリンタ９」は、「第１ディスプレイ８ａに表示され」た「合成画像」を「プリント媒体１５に印刷」し、「写真プリントとしてシールプリントに出力」することから、本願発明の「第２の表示手段に表示された画像をシール紙に印刷する印刷手段」に相当する。
上記（１）ないし（７）からみて、本願発明と引用発明１とは、
　
「撮像素子を有し、前記撮像素子により被写体である利用者を撮影する第１の撮影手段と、
　前記被写体を撮影する第２の撮影手段と、
　前記第１の撮影手段による撮影の前において、前記第２の撮影手段により撮影された動画像を表示する第１の表示手段と、
　前記第１の撮影手段により撮影された前記被写体の複数の画像を表示する第２の表示手段と、
　前記第２の表示手段に表示された画像をシール紙に印刷する印刷手段と
　を備える写真シール作成装置。」
の点で一致し、以下の点で相違する。
　
＜相違点１＞
　第１の撮影手段について、本願発明が「メカニカルシャッタ機構を有し、撮影時以外は前記メカニカルシャッタ機構により前記撮像素子を外部の光から遮断する」と特定されているのに対し、引用発明１は「メカニカルシャッタ機構」を有しているか否か定かでない点。
　
＜相違点２＞
　第２の撮影手段について、本願発明が「第１の撮影手段の上側近傍または下側近傍に設けられ」と特定されているのに対し、引用発明１は「第１および第２カメラ６ａ，６ｂは、被写体２の前面で被写体２に対して左右に並ぶよう配設され」ている点。
　
＜相違点３＞
　第１の表示手段が、本願発明では「前記第１の撮影手段による撮影タイミングの後において、前記第１の撮影手段による次の撮影と並行して、前記第２の撮影手段により撮影された静止画像を表示する」と特定されているのに対し、引用発明１はそのようになっていない点。
　
５　判断
（１）上記相違点１について
　メカニカルシャッタ機構であるフォーカルプレーンシャッタを有する連写撮影可能なデジタルカメラは、本願出願前に周知である（例：特開２００１−２７５０３３号、特開２００５−１７５９０８号公報、特開２００５−１７６２６５号公報。以下「周知技術」という。）から、引用発明１において、連写撮影するデジタルカメラとしてフォーカルプレーンシャッタ等のメカニカルシャッタ機構を有するデジタルカメラを採用することは、当業者が周知技術に基づいて容易に想到し得るものである。
　また、フォーカルプレーンシャッタは、撮影時にレリーズ信号等に応じて露光を開始させ、その後所定のタイミングで遮光することにより、撮影時の露光量を制限するために動作させるものであることは技術常識であるから、フォーカルプレーンシャッタ等のメカニカルシャッタ機構を採用した場合には、「撮影時以外」には動作させず、「撮像素子を外部の光から遮断」することは、明らかである。
　
（２）上記相違点２について
　引用発明１の第２カメラ６ｂは、「撮影の際のフレーミング等を確認するための動画を撮影する」ために、印刷に用いられる第１カメラ６ａに近い位置に設けられているものである。引用文献３には、「高解像度で撮影できるように受光素子を数多く具えたＣＣＤ（Charge Coupled Device：電荷結合素子）を搭載したディジタルカメラからなる印刷用カメラと、画質は問わず低解像度で撮影できる受光素子が少ないＣＣＤを搭載したディジタルカメラやビデオカメラからなる表示用カメラを有し、撮影画像を確認するための表示用カメラを、印刷用カメラの上側近傍に設け、１台のカメラで撮影した画像を印刷用と表示用に用いる従来の構成に比べ、はるかに低コストにて高画質の写真印刷及び確認画像の高速表示の両方を実現することができる自動写真撮影装置」の発明（以下「引用発明３」という。）が記載されているものと認められるから、引用発明のフレーミング等を確認するための第２カメラ６ｂの配置位置として、引用発明３の撮影画像を確認するための表示用カメラの配置位置を採用して、印刷に用いられる第１カメラ６ａの上側近傍に第２カメラ６ｂを設けることは、当業者が容易に想到し得るものである。
　
（３）上記相違点３について
　引用文献２には、「透明板９１及びハーフミラー８０を透過した椅子９５に座っている人物１の像を撮影し、デジタル画像を得る電子カメラ７６と、電子カメラ７６により得られたデジタル画像を画像処理して、ＶＲＡＭ７３に記録されている動画表示領域を常に書換え、また、所定の手順で静止画表示領域に静止画を記憶させる画像処理回路７０と、ＶＲＡＭ７３の静止画表示領域に記憶されている静止画もＶＲＡＭ７３の動画表示領域に記憶されている動画も表示して、画像表示面７５に表示された画像がハーフミラー８０で反射して、透明板９１を介して人物１が見ることができるようにするＣＲＴ７４とを有し、人物１が、現在の自分のポーズや表情の変化などをストレスなく視認して観察でき、かつ、記憶されている静止画を視認して観察することができ、撮影内容を思いだす必要なく、撮影されるその場で、電子カメラ７６により撮影される人物１が既に撮影されたポーズを見て、ポーズを決めることができるように、電子カメラ７６の動画の撮影が開始されると画像表示面７５に動画が表示され、開始ボタンを押すと、所定の時間間隔毎に静止画が撮影され、その間、既に撮影された１又は複数の静止画を上方から撮影された順に表示して、同時に表示し、所定の手順で静止画表示領域に記憶されている静止画が了承されると、現像処理部２８が露光された印画紙２を現像処理して、静止画表示領域に記憶されている静止画に対応するプリントが得られる人物写真撮影装置」の発明（以下「引用発明２」という。）が記載されているものと認められる。
　引用発明１の「撮影の際の表情やポーズあるいはフレーミング等を確認しうるようになっている第２ディスプレイ８ｂ」について、「人物が、現在の自分のポーズや表情の変化などをストレスなく視認して観察でき、かつ、記憶されている静止画を視認して観察することができ、撮影内容を思いだす必要なく、撮影されるその場で、電子カメラにより撮影される人物が既に撮影されたポーズを見て、ポーズを決めることができ」ようにするために、引用発明２のように「所定の時間間隔毎の静止画の撮影の間、既に撮影された１又は複数の静止画を上方から撮影された順に表示」するようにして、第１カメラ６ａによる撮影タイミングの後において、第１カメラ６ａによる次の撮影と平行して、静止画を表示するようにし、その際、「１台のカメラで撮影した画像を印刷用と表示用に用いる従来の構成に比べ、はるかに低コストにて高画質の写真印刷及び確認画像の高速表示の両方を実現する」ことができるように、引用発明３のように、印刷用のカメラではなく、確認表示用の第２カメラ６ｂ（動画撮影用）により撮影された静止画を、表示する静止画として採用して、上記相違点３に係る構成のようになすことは、当業者が引用発明２及び引用発明３に基づいて容易に想到し得るものである。
　
（４）請求人が平成２２年３月２３日付け意見書で述べている「このように、１つのカメラによって撮影を行い、撮影により得られた静止画像を撮影結果の表示にも用いる場合には、連写する回数に応じて転送時間が多くかかってしまい、スムーズなゲームの進行を確保するという点からは実質的に連写ができないが、カメラ３２とは別に設けられたCCDにより撮影された画像を撮影結果の表示に用いることによってそれが可能と」なるという効果も、引用発明３の「１台のカメラで撮影した画像を印刷用と表示用に用いる従来の構成に比べ、はるかに低コストにて高画質の写真印刷及び確認画像の高速表示の両方を実現する」という効果から当業者が予測できた程度のものである。
　また、その他の本願発明の奏する効果も、引用発明１の奏する効果、引用発明２の奏する効果、引用発明３の奏する効果及び周知技術の奏する効果から当業者が予測できた程度のものである。
　
４　むすび
　以上のとおり、本願発明は、当業者が引用文献１に記載された発明、引用文献２に記載された発明、引用文献３に記載された発明及び周知技術に基づいて容易に発明をすることができたものであるから、特許法第２９条第２項の規定により特許を受けることができない。
　よって、結論のとおり審決する。